(57)【特許請求の範囲】
【請求項１】
バネで弾圧され、Ｖ字状溝部を設けたハート型カム溝、及び係止部を有する可動体と、前記ハート型カム溝内に位置するピン部、及び係止部を有する駆動体とを備え、前記可動体は、前記バネに抗して押し込まれた状態の第１の位置と、前記バネで押し戻された状態の第２の位置とに移動可能で、前記可動体が前記第１の位置にある時、前記駆動体の前記ピン部が前記ハート型カム溝の前記Ｖ字状溝部に位置すると共に、前記可動体の前記係止部と前記駆動体の前記係止部とが当接するようにしたことを特徴とするプッシュスイッチ。
【請求項２】
前記駆動体を板状の合成樹脂で形成し、前記可動体の移動方向に対して直角方向に前記駆動体を移動可能にしたことを特徴とする請求項１記載のプッシュスイッチ。
【請求項３】
前記可動体には前記Ｖ字状溝部に隣接して前記係止部を設け、また、前記駆動体には前記ピン部に隣接して前記係止部を設けたことを特徴とする請求項１、又は２記載のプッシュスイッチ。
【請求項４】
前記可動体が前記第１の位置にある時、前記ピン部の側部を前記ハート型カム溝の内壁に当接させるようにしたことを特徴とする請求項１又は２、又は３記載のプッシュスイッチ。
【請求項５】
前記可動体には複数個の前記係止部を設け、また、前記駆動体には複数個の前記係止部を設けて、複数個の係止部同志を当接させるようにしたことを特徴とする請求項１、又は２、又は４記載のプッシュスイッチ。
【請求項６】
Ｖ字状溝部を設けたハート型カム溝、及び係止部を有する駆動体と、バネで弾圧され、前記ハート型カム溝内に位置するピン部、及び係止部を有する可動体とを備え、前記可動体は、前記バネに抗して押し込まれた状態の第１の位置と、前記バネで押し戻された状態の第２の位置とに移動可能で、前記可動体が前記第１の位置にある時、前記可動体の前記ピン部が前記駆動体の前記ハート型カム溝の前記Ｖ字状溝部に位置すると共に、前記可動体の前記係止部と前記駆動体の前記係止部とが当接するようにしたことを特徴とするプッシュスイッチ。
【請求項７】
前記駆動体を板状の合成樹脂で形成し、前記可動体の移動方向に対して直角方向に前記駆動体を移動可能にしたことを特徴とする請求項６記載のプッシュスイッチ。
【請求項８】
前記駆動体には前記Ｖ字状溝部に隣接して前記係止部を設け、また、前記可動体には前記ピン部に隣接して前記係止部を設けたことを特徴とする請求項６、又は７記載のプッシュスイッチ。
【請求項９】
前記可動体が前記第１の位置にある時、前記ピン部の側部を前記ハート型カム溝の内壁に当接させるようにしたことを特徴とする請求項６又は７、又は８記載のプッシュスイッチ。
【請求項１０】
前記可動体には複数個の前記係止部を設け、また、前記駆動体には複数個の前記係止部を設けて、複数個の係止部同志を当接させるようにしたことを特徴とする請求項６、又は７、又は９記載のプッシュスイッチ。
【発明の詳細な説明】
【０００１】
【発明の属する技術分野】
本発明はプッシュ・プッシュ型で、ハート型カム溝を用いたプッシュスイッチに関する。
【０００２】
【従来の技術】
従来のハート型カム溝を使用したプッシュスイッチは、図８〜図１０に示すように、金属製の箱形の枠体２１は、上壁２１ａに設けられた丸孔２１ｂと、前壁２１ｃに設けられた角溝２１ｄとを有している。
また、金属板から成るバネ板２２は、平板状の基部２２ａから切り起こしされたバネ部２２ｂを有し、このバネ板２２は、枠体２１内に収納され、その基部２１ａを上壁２１ａに重ね合わした状態で、枠体２１に取り付けられている。
また、円柱状の金属棒を折り曲げして形成されてＺ型をなす駆動ピン２３は、中央に位置する水平部２３ａと、水平部２３ａの一端から上方に折り曲げられた折り曲げ部２３ｂと、水平部２３ａの他端から下方に折り曲げられた折り曲げ部２３ｃとを有している。
そして、この駆動ピン２３は、枠体２１内に位置させ、水平部２３ａをバネ板２２のバネ部２２ｂに当接させた状態で、折り曲げ部２３ｂを上壁２１ａの丸孔２１ｂに挿通して、折り曲げ部２３ｂを支点として他方の折り曲げ部２３ｃが回動するように、枠体２１に取り付けられている。
【０００３】
また、合成樹脂の成型品から成る可動体２４は、操作部２４ａと、可動接片（図示せず）を収納する収納部２４ｂと、収納部２４ｂの上面に形成されたハート型カム溝２５とを有している。
そして、このハート型カム溝２５は、特に図１０で示すように、第１のＶ字状溝部２５ａと、第２のＶ字状溝部２５ｂと、第１と第２のＶ字状溝部２５ａ、２５ｂを繋ぐ溝部２５ｃ、２５ｄと、ハート型カム溝２５の外形を形成する外壁２５ｅと、ハート型カム溝２５の内形を形成する内壁２５ｆと、溝の底壁２５ｇに設けられた４個の段部２５ｈとで構成されている。
そして、可動体２４は、操作部２４ａを枠体２１の角溝２１ｄ内に位置させると共に、収納部２４ｂを枠体２１内に収納する。
この時、駆動ピン２３の折り曲げ部２３ｃは、ハート型カム溝２５内に位置した状態にしてある。
【０００４】
また、絶縁基板２６には複数個の固定接片２７が固着され、この絶縁基板２６は、枠体２１の下方開口部を覆うように配置され、絶縁基板２６は枠体２１に適宜手段によって固定されている。
そして、この時、固定接片２７は可動体２４に収納された可動接片（図示せず）と接離可能になると共に、バネ板２２のバネ部２２ｂで押圧された駆動ピン２３の折り曲げ部２３ｃの先端部は、ハート型カム溝２５の底壁２５ｇに当接した状態となっている。
また、コイル状のバネ２８が、前壁２１ｃと操作部２４ａとの間に取り付けられて、このバネ２８によって、可動体２４が常時前方に弾圧された状態となっている。
【０００５】
そして、このようなプッシュスイッチは、可動体２４の操作部２４ａをバネ２８の弾性に抗して押圧し、可動体２４が押し込まれた状態の第１の位置になると、可動接片が固定接片２７と接離して接点の切り換えが行われ、また、操作部２４ａがバネ２８によって、押し圧前の状態に押し戻された状態の第２の位置になると、可動接片が固定接片２７と接離して接点の切り換えが行われるようになる。
そして、次に、可動体２４の操作に伴うハート型カム溝２５と駆動ピン２３の動作を図１０に基づいて説明すると、可動体２４がバネ２８によって押し戻された第２の位置においては、駆動ピン２３は第２のＶ字状溝部２５ｂのＰ１の位置にあって、その折り曲げ部２３ｃが外壁２５ｅに係合し、バネ２８による可動体２４の移動を停止していると共に、折り曲げ部２３ｃの先端部は、バネ板２２の押圧によって、底壁２５ｇに当接した状態となっている。
【０００６】
この状態において、可動体２４をバネ２８に抗して押圧、即ち、矢印Ｘ方向に移動すると、折り曲げ部２３ｃの先端部が底壁２５ｇをこすりながら、駆動ピン２３が内壁２５ｆに当接し、駆動ピン２３が折り曲げ部２３ｂを支点として、内壁２５ｆに沿って回動しながらＰ２の位置となる。
更に、矢印Ｘ方向に移動を続けると、駆動ピン２３は段部２５ｈに落ちてＰ３の位置になると共に、可動体２４の矢印Ｘ方向の移動がストップし、可動体２４の押圧を解除すると、可動体２４はバネ２８により矢印Ｙ方向に押し戻される。この時、駆動ピン２３は回動しながら段部２５ｈに沿って第１のＶ字状溝部２５ａに位置すると共に、内壁２５ｆに当接したＰ４の位置となり、これによって、可動体２４の移動が停止して、可動体２４は押し込まれた状態の第１の位置となる。
【０００７】
また、この状態で、再度、可動体２４をバネ２８に抗して押圧すると、可動体２４は矢印Ｘ方向に移動し、すると、駆動ピン２３は段部２５ｈに落ちてＰ５の位置になると共に、可動体２４の矢印Ｘ方向の移動がストップする。
そして、可動体２４の押圧を解除すると、可動体２４はバネ２８により矢印Ｙ方向に押し戻される。
この時、駆動ピン２３は、回動しながら段部２５ｈと内壁２５ｆに沿って移動して、段部２５ｈに落ちたＰ６の位置となり、更に、矢印Ｙ方向に可動体２４が移動すると、駆動ピン２３は外壁２５ｅに当接し、外壁２５ｅに沿って回動すると共に、段部２５ｈに落ちた状態を経て、スタート時のＰ１の位置となる。
このように、可動体２４のプッシュ・プッシュの操作によって、プッシュスイッチの切り換えを行うものである。
【０００８】
【発明が解決しようとする課題】
従来のハート型カム溝を使用したプッシュスイッチは、Ｚ型の駆動ピン２３の折り曲げ部２３ｃが可動体２４のハート型カム溝２５と係合して、バネ２８からの押圧力を受け止めるようになっているため、駆動ピン２３は強度を大きくするために太いものを使用する必要があり、このため、駆動ピン２３が大きくなると共に、これを受け入れるハート型カム溝２５も大きくなって、プッシュスイッチが大型に成るという問題がある。
また、駆動ピン２３の動作を確実にするために、駆動ピン２３をハート型カム溝２５の底壁２５ｇに押圧するバネ板２２を必要とし、このため、部品点数が多くなって、コスト高となるばかりか、生産性が悪いという問題がある。
また、駆動ピン２３がハート型カム溝２５の底壁２５ｇ上を擦るようになっているため、可動体２４の移動感触が悪くなる上に、擦れによって、その寿命が短いという問題がある。
また、駆動ピン２３は、Ｚ型となし、回動運動させるために折り曲げ部２３ｂを枠体２１の小さな丸孔２１ｂに挿入せねば成らず、その挿入作業が面倒で、生産性が悪く、また、駆動ピン２３は強度の点から金属製のものを使用せねば成らず、しかも、Ｚ型の加工が必要で、加工性が悪いという問題がある。
【０００９】
【課題を解決するための手段】
上記課題を解決するための第１の解決手段として、バネで弾圧され、Ｖ字状溝部を設けたハート型カム溝、及び係止部を有する可動体と、前記ハート型カム溝内に位置するピン部、及び係止部を有する駆動体とを備え、前記可動体は、前記バネに抗して押し込まれた状態の第１の位置と、前記バネで押し戻された状態の第２の位置とに移動可能で、前記可動体が前記第１の位置にある時、前記駆動体の前記ピン部が前記ハート型カム溝の前記Ｖ字状溝部に位置すると共に、前記可動体の前記係止部と前記駆動体の前記係止部とが当接するようにした構成とした。
また、第２の解決手段として、前記駆動体を板状の合成樹脂で形成し、前記可動体の移動方向に対して直角方向に前記駆動体を移動可能にした構成とした。
また、第３の解決手段として、前記可動体には前記Ｖ字状溝部に隣接して前記係止部を設け、また、前記駆動体には前記ピン部に隣接して前記係止部を設けた構成とした。
また、第４の解決手段として、前記可動体が前記第１の位置にある時、前記ピン部の側部を前記ハート型カム溝の内壁に当接させるようにした構成とした。
また、第５の解決手段として、前記可動体には複数個の前記係止部を設け、また、前記駆動体には複数個の前記係止部を設けて、複数個の係止部同志を当接させるようにした構成とした。
【００１０】
また、第６の解決手段として、Ｖ字状溝部を設けたハート型カム溝、及び係止部を有する駆動体と、バネで弾圧され、前記ハート型カム溝内に位置するピン部、及び係止部を有する可動体とを備え、前記可動体は、前記バネに抗して押し込まれた状態の第１の位置と、前記バネで押し戻された状態の第２の位置とに移動可能で、前記可動体が前記第１の位置にある時、前記可動体の前記ピン部が前記駆動体の前記ハート型カム溝の前記Ｖ字状溝部に位置すると共に、前記可動体の前記係止部と前記駆動体の前記係止部とが当接するようにした構成とした。
また、第７の解決手段として、前記駆動体を板状の合成樹脂で形成し、前記可動体の移動方向に対して直角方向に前記駆動体を移動可能にした構成とした。
また、第８の解決手段として、前記駆動体には前記Ｖ字状溝部に隣接して前記係止部を設け、また、前記可動体には前記ピン部に隣接して前記係止部を設けた構成とした。
また、第９の解決手段として、前記可動体が前記第１の位置にある時、前記ピン部の側部を前記ハート型カム溝の内壁に当接させるようにした構成とした。
更に、第１０の解決手段として、前記可動体には複数個の前記係止部を設け、また、前記駆動体には複数個の前記係止部を設けて、複数個の係止部同志を当接させるようにした構成とした。
【００１１】
【発明の実施の形態】
本発明のハート型カム溝を使用したプッシュスイッチを図１〜図７に基づいて説明すると、図１は本発明のプッシュスイッチの要部断面平面図、図２は本発明のプッシュスイッチの要部縦断面図、図３は本発明のプッシュスイッチの分解斜視図、図４は本発明のプッシュスイッチに係る駆動体を裏返した斜視図、図５は本発明のプッシュスイッチに係るハート型カム溝を示す斜視図、図６の（Ａ）、（Ｂ）は本発明のプッシュスイッチの動作を説明するための説明図、図７は本発明のプッシュスイッチの他の実施形態を示す要部断面平面図である。
【００１２】
そして、本発明のハート型カム溝を使用したプッシュスイッチは、図１〜図６に示すように、合成樹脂の成型品から成るの箱形の枠体１は、空洞部１ａと、空洞部１ａの前方の上部に設けられた凹部１ｂとを有している。
また、前記枠体１には、金属板から成る固定接片２が埋設されて取り付けられ、その接触部２ａは空洞部１ａ内に位置すると共に、端子部２ｂが枠体１外に突出した状態となっている。
また、合成樹脂の成型品から成る駆動体３は、矩形状の支持部３ａと、支持部３ａの中央部に設けられた凸状の係止部３ｂと、係止部３ｂ上に隣接して設けられたピン部３ｃとを有している。
そして、この駆動体３は、枠体１の空洞部１ａに連設した凹部１ｂ内に収納し、その係止部３ｂ、及びピン部３ｃを空洞部１ａ側に位置させて、横方向に移動可能に枠体１に取り付けられている。
【００１３】
また、合成樹脂の成型品から成る可動体４は、操作部４ａと、可動接片６を収納する収納部４ｂと、収納部４ｂの上面に設けられた凹部４ｃと、収納部４ｂの上面に形成されたハート型カム溝５とを有している。
そして、このハート型カム溝５は、特に、図５、図６で示すように、第１のＶ字状溝部５ａと、第２のＶ字状溝部５ｂと、第１と第２のＶ字状溝部５ａ、５ｂを繋ぐ直線状の溝部５ｃ、５ｄと、ハート型カム溝５の外形を形成する外壁５ｅと、ハート型カム溝５の内形を形成する内壁２５ｆを有する島状部５ｇと、第１のＶ字状溝部５ａに隣接して島状部５ｇ上に設けられた係止部５ｈとで構成されている。
そして、可動体４は、可動接片６を収納した収納部４ｂを、枠体１の空洞部１ａに挿入して、可動接片６が固定接片２に接離可能となるように、可動体４が移動可能に取り付けられると共に、駆動体３のピン部３ｃをハート型カム溝５内に位置した状態にしてある。
また、駆動体３は、その支持部３ａが枠体１と可動体４とによって挟持され、可動体４の移動方向に対して直角方向に移動可能となっている。
【００１４】
また、金属板から成るコ字状の取付板７は孔７ａを有し、この孔７ａに可動体４の操作部４ａを挿通した状態で、取付板７が枠体１の前面に適宜手段により取り付けられ、この取付板７で、可動体４と駆動体３の抜け止めを行っている。
また、コイル状のバネ８が可動体４の凹部４ｃ内に載置され、可動体４と枠体１の後壁との間に位置させて取り付けられ、このバネ８によって、可動体４は常時前方に弾圧された状態となっている。
【００１５】
そして、このようなプッシュスイッチは、可動体４の操作部４ａをバネ８の弾性に抗して押圧し、可動体４が押し込まれた状態の第１の位置になると、可動接片６が固定接片２と接離して接点の切り換えが行われ、また、操作部４ａがバネ８によって、押し圧前の状態に押し戻された状態の第２の位置になると、可動接片６が固定接片２と接離して接点の切り換えが行われるようになる。
そして、次に、可動体４の操作に伴うハート型カム溝５と駆動体３の動作を図６に基づいて説明すると、可動体４がバネ８によって押し戻された第２の位置においては、駆動体３のピン部３ｃは第２のＶ字状溝部５ｂのＰ１の位置にあって、可動体４の収納部４ｂが取付板７にぶつかって、バネ８による可動体４の前方方向の移動が停止した状態となっている。
【００１６】
この状態において、可動体４をバネ８に抗して押圧、即ち、矢印Ｘ方向に移動すると、ピン部３ｃは傾斜状の内壁５ｆに当接したＰ２の位置となり、この状態で可動体４の移動を続けると、ピン部３ｃは内壁５ｆに沿って移動するため、駆動体３は凹部１ｂ内を、可動体４の移動方向に対して直角方向に移動してＰ３の位置となる。
更に、矢印Ｘ方向に移動を続けると、ピン部３ｃは、直線状の溝部５ｃにガイドされてＰ４の位置となり、この時、ピン部３ｃは傾斜状の外壁５ｅに当接した状態となるため、可動体４の移動を続けると、ピン部３ｃは外壁５ｅに沿って移動してＰ５の位置になると共に、可動体４の矢印Ｘ方向の移動がストップする。そして、可動体４の押圧を解除すると、可動体４はバネ８により矢印Ｙ方向に押し戻され、この時、ピン部３ｃは第１のＶ字状溝部５ａに位置すると共に、傾斜状の内壁５ｆに当接したＰ６の位置となり、次に、この内壁５ｆの傾斜に沿ってＰ７の位置、即ち、第１のＶ字状溝部５ａの最奥の位置まで移動する。
この時、図６（Ｂ）に示すように、駆動体３の係止部３ｂが可動体４の係止部５ｈに当接して、可動体４の移動が停止して、可動体４は押し込まれた状態の第１の位置となる。
また、この時、ピン部３ｃは内壁５ｆに当接した状態となっているが、ピン部３ｃを内壁５ｆに当接させず、係止部３ｂと５ｈとの当接のみでも良い。
このように、駆動体３の係止部３ｂと可動体４の係止部５ｈとの当接によって、バネ８に対する駆動体３のストッパー強度を強くしたものである。
【００１７】
また、この状態で、再度、可動体４をバネ８に抗して押圧すると、可動体４は矢印Ｘ方向に移動し、すると、ピン部３ｃは傾斜状の外壁５ｅに当接したＰ８の状態となり、可動体４が更に移動すると、外壁５ｅの傾斜に沿ってＰ９の位置までピン部３ｃが移動すると共に、この時、可動体４の矢印Ｘ方向の移動がストップする。
そして、可動体４の押圧を解除すると、可動体４はバネ８により矢印Ｙ方向に押し戻され、すると、ピン部３ｃは傾斜状の内壁５ｆに当接したＰ１０の位置となり、更に可動体４が移動すると、内壁５ｆの傾斜に沿ってＰ１１の位置までピン部３ｃが移動する。
また更に、可動体４が移動すると、直線状の溝部５ｄにガイドされてＰ１２の位置となると共に、傾斜状の外壁５ｅに当接した状態となる。
そして更に、矢印Ｙ方向に可動体４が移動すると、ピン部３ｃは傾斜状の外壁２５ｅに沿って第２のＶ字状溝部５ｂ内に移動して、スタート時のＰ１の位置となると共に、可動体４の移動が停止する。
このように、可動体４のプッシュ・プッシュの操作によって、プッシュスイッチの切り換えを行うものである。
なお、駆動体３の係止部３ｂと可動体４の係止部５ｈとの関係は、係止部５ｈの回りを係止部３ｂが移動出来る大きさで、図６（Ｂ）以外は係止部３ｂが係止部５ｈに係合しないようにしてある。
【００１８】
また、図７は本発明の他の実施形態を示し、駆動体３には複数個の係止部３ｂを、また、可動体４には複数個の係止部４ｈを設け、可動体４が押し込まれた第１の位置にある時、複数個の係止部３ｂと５ｈ同志が当接するようにしたもので、その他の構成は上記実施例と同様の構成を有するので、ここでは同一部品に同一番号を付し、その説明は省略する。
【００１９】
また、上記実施例では、駆動体３に係止部３ｂとピン部３ｃとを設け、また、可動体４にハート型カム溝５と係止部５ｈとを設けたもので説明したが、駆動体３にはハート型カム溝と係止部を、また、可動体４には係止部とピン部とを設けたものでも良く、この場合も上記と同様の効果を奏するものである。
【００２０】
【発明の効果】
本発明のプッシュスイッチは、可動体４がバネ８に抗して押し込まれた第１の位置にある時、駆動体３の係止部３ｂと可動体４の係止部５ｈとが当接するようにしたため、ピン部３ｃへのバネ８による力が軽減され、ピン部３ｃを細くできると共に、ハート型カム溝５を小さくでき、従って、小型のプッシュスイッチを提供できる。
また、従来のようなバネ板２２が不要となり、安価で生産性の良好なものを提供できる。
また、ピン部３ｃはハート型カム溝５の底壁を擦ることが無く、従って、可動体４の移動感触の良好なものを提供できる。
また、駆動体３を合成樹脂で形成したものであるため、従来の金属製のＺ型の駆動ピン２３に比してその生産性が良好となり、安価なもを提供できる。
また、駆動体３が可動体４の移動方向に対して直角方向に移動可能としたため、従来のように折り曲げ部２３ｂを小さな丸孔２１ｂに挿入する作業が不要となり、生産性の良いものを提供できる。
また、可動体４には第１のＶ字状溝部５ａに隣接して係止部５ｈを設けると共に、駆動体３にはピン部３ｃに隣接して係止部３ｃを設けたものであるため、小型でストッパー強度の大きなものを提供できる。
また、駆動体３が第１のＶ字状溝部５ａにある時、ピン部３ｃの側部を内壁５ｆに当接させるようにしたため、ピン部３ｃの動きを確実に出来、正確なプッシュ・プッシュ動作が得られる。
また、可動体４と駆動体３にそれぞれ複数個の係止部５ｈ，３ｃを設けて、複数個の係止部同志を当接させるようにしたため、ストッパー強度をより大きく出来るものである。
【００２１】
また、駆動体３にはハート型カム溝と係止部を、また、可動体４にはピン部と係止部とを設け、可動体４がバネ８に抗して押し込まれた第１の位置にある時、駆動体３の係止部と可動体４の係止部とが当接するようにしたため、ピン部へのバネ８による力が軽減され、ピン部を細くできると共に、ハート型カム溝を小さくでき、従って、小型のプッシュスイッチを提供できる。
また、従来のようなバネ板２２が不要となり、安価で生産性の良好なものを提供できる。
また、ピン部はハート型カム溝の底壁を擦ることが無く、従って、可動体４の移動感触の良好なものを提供できる。
また、駆動体３を合成樹脂で形成したものであるため、従来の金属製のＺ型の駆動ピン２３に比してその生産性が良好となり、安価なもを提供できる。
また、駆動体３が可動体４の移動方向に対して直角方向に移動可能としたため、従来のように折り曲げ部２３ｂを小さな丸孔２１ｂに挿入する作業が不要となり、生産性の良いものを提供できる。
また、駆動体３には第１のＶ字状溝部に隣接して係止部を設けると共に、可動体４にはピン部に隣接して係止部を設けたものであるため、小型でストッパー強度の大きなものを提供できる。
また、可動体４が第１のＶ字状溝部にある時、ピン部の側部をハート型カム溝の内壁に当接させるようにしたため、ピン部の動きを確実に出来、正確なプッシュ・プッシュ動作が得られる。
また、可動体４と駆動体３にそれぞれ複数個の係止部を設けて、複数個の係止部同志を当接させるようにしたため、ストッパー強度をより大きく出来るものである。
【図面の簡単な説明】
【図１】本発明のプッシュスイッチの要部断面平面図。
【図２】本発明のプッシュスイッチの要部縦断面図。
【図３】本発明のプッシュスイッチの分解斜視図。
【図４】本発明のプッシュスイッチに係る駆動体を裏返した斜視図。
【図５】本発明のプッシュスイッチに係るハート型カム溝を示す斜視図。
【図６】本発明のプッシュスイッチの動作を説明するための説明図。
【図７】本発明のプッシュスイッチの他の実施形態を示す要部断面平面図。
【図８】従来のプッシュスイッチの要部断面平面図。
【図９】従来のプッシュスイッチの要部縦断面図。
【図１０】従来のプッシュスイッチの動作を説明するための説明図。
【符号の説明】
１  枠体
１ａ  空洞部
１ｂ  凹部
２  固定接片
２ａ  接触部
２ｂ  端子部
３  駆動体
３ａ  支持部
３ｂ  係止部
３ｃ  ピン部
４  可動体
４ａ  操作部
４ｂ    収納部
４ｃ  凹部
５  ハート型カム溝
５ａ  第１のＶ字状溝部
５ｂ  第２のＶ字状溝部
５ｃ、５ｄ  溝部
５ｅ  外壁
５ｆ  内壁
５ｇ  島状部
５ｈ  係止部
６  可動接片
７  取付板
７ａ  孔
８  バネ
【図１】
0003621238.tif 000002
【図２】
0003621238.tif 000003
【図３】
0003621238.tif 000004
【図４】
0003621238.tif 000005
【図５】
0003621238.tif 000006
【図６】
0003621238.tif 000007
【図７】
0003621238.tif 000008
【図８】
0003621238.tif 000009
【図９】
0003621238.tif 000010
【図１０】
0003621238.tif 000011